(57)【特許請求の範囲】
【請求項１】
略矩形状に形成され、左右方向に複数の嵌合窓部が形成された枠体と、
この枠体の複数の嵌合窓部に嵌合され、多数の板状の電極板が幅方向に平行に配設された複数の集塵側高圧電極と、
導電性樹脂成型品からなり、前記複数の集塵側高圧電極の上に装着され、前記集塵側高圧電極の電極板の間に板状の電極板が幅方向に平行にそれぞれ設けられた集塵側アース部品であって、左右方向に別体に配設された複数の集塵側アース部品と、
金属製からなり、前記左右方向別体に配設された複数の集塵側アース部品の上に装着され、板金本体と、この板金本体から切り起こされ長手方向に配設された多数の板状の電極部と、切り起こされて開口となった空気通過開口部とを有している左右方向に一体に形成された荷電側アース部品と、
前記荷電側アース部品の前記電極部に対向して配設された荷電側高圧電極と、
前記荷電側アース部品と前記集塵側アース部品とを、空気の流路方向に位置固定する第１の固定手段と、
前記集塵側アース部品が固定された前記荷電側アース部品を枠体に装着し空気流路に垂直の方向に位置固定する第２の固定手段と、
を備えたことを特徴とする空気清浄機。
【請求項２】
前記荷電側アース部品は、重ね合わされた２つの板金部品を備え、
これら板金部品は、板金本体と、この板金本体から切り起こされた電極部と、前記板金本体のうち切り起こされて開口となった空気通過開口部とを有し、
これら板金部品のうち一方の板金部品が他方の板金部品に、前記一方の板金部品の空気通過開口部から他方の板金部品の電極部が突出するように、重ね合わされていることを特徴とする請求項１に記載の空気清浄機。
【発明の詳細な説明】
【０００１】
【発明の属する技術分野】
本発明は、集塵側と荷電側のアース部品の構成を改良した空気清浄機に関する。
【０００２】
【従来の技術及】
従来、例えば、空気調和機に搭載された空気清浄機のアース側の部品は、図５及び図６に示すように構成されている。すなわち、空気清浄器１は、下部枠体１１を有しており、この下部枠体１１にはアース部品１３が装着されている。このアース部品１３は荷電側アース部品１５と集塵側アース部品１７とが樹脂成型品として一体に形成され、表面には金属メッキが施されている。互いに平行に配設された複数の荷電側アース部品１５の間には、荷電側高圧電極１９が配置され、この荷電側高圧電極１９と前記荷電側アース部品１５とは、空気中の塵埃に電荷を付与する荷電側電極２１を構成する。また、互いに平行に配設された集塵側アース部品１７の間には、集塵側高圧電極２３が配置されており、この集塵側高圧電極２３と集塵側アース部品１７は、集塵側電極２５を構成する。そして、荷電側電極２１で空気中の塵埃に電荷を与え、その後集塵側電極２５で電荷を与えられた塵埃を引きつけ、塵埃を除去するようになっている。
【０００３】
【発明が解決しようとする課題】
しかしながら、このような従来の空気清浄機のアース側部品１３は、一体に成形できるものの、成形された樹脂部品に金属メッキを行わねばならず、コストがかさむという問題点があった。
【０００４】
本発明は、かかる課題を解決するためになされたものであって、同一の性能を維持しつつコストの低減を図ることができる空気清浄機を提供することを目的としている。
【０００５】
【課題を解決するための手段】
本発明の第１の特徴は、略矩形状に形成され、左右方向に複数の嵌合窓部が形成された枠体と、この枠体の複数の嵌合窓部に嵌合され、多数の板状の電極板が幅方向に平行に配設された複数の集塵側高圧電極と、導電性樹脂成型品からなり、前記複数の集塵側高圧電極の上に装着され、前記集塵側高圧電極の電極板の間に板状の電極板が幅方向に平行にそれぞれ設けられた集塵側アース部品であって、左右方向に別体に配設された複数の集塵側アース部品と、金属製からなり、前記左右方向別体に配設された複数の集塵側アース部品の上に装着され、板金本体と、この板金本体から切り起こされ長手方向に配設された多数の板状の電極部と、切り起こされて開口となった空気通過開口部とを有している左右方向に一体に形成された荷電側アース部品と、前記荷電側アース部品の前記電極部に対向して配設された荷電側高圧電極と、前記荷電側アース部品と前記集塵側アース部品とを、空気の流路方向に位置固定する第１の固定手段と、前記集塵側アース部品が固定された前記荷電側アース部品を枠体に装着し空気流路に垂直の方向に位置固定する第２の固定手段と、を備えたことである。
【０００６】
本発明の第２の特徴は、前記荷電側アース部品は、重ね合わされた２つの板金部品を備え、これら板金部品は、板金本体と、この板金本体から切り起こされた電極部と、前記板金本体のうち切り起こされて開口となった空気通過開口部とを有し、これら板金部品のうち一方の板金部品が他方の板金部品に、前記一方の板金部品の空気通過開口部から他方の板金部品の電極部が突出するように、重ね合わされていることである。
【００１１】
【発明の実施の形態】
以下、本発明に係る実施の形態を図面を参照して説明する。
【００１２】
図１は、空気調和機に搭載された空気清浄器３１の組立てを示すものである。この空気清浄機３１は、下部枠体３３を有している。この下部枠体３３は、略矩形状に形成されており、嵌合窓部３５が左右２カ所設けられている。これら嵌合窓部３５の側壁のうち下部枠体３３の幅方向に延在する側壁には、１つの側壁当たり２カ所の第１の係止爪３７，３７が設けられている。
【００１３】
これら嵌合窓部３５には、左右２分割された集塵側高圧電極４１、４１がそれぞれ嵌合されて装着されている。この集塵側高圧電極４１は、導電性の樹脂成形品からなり、多数の板状の電極板４３、…が下部枠体３３の幅方向に平行に配設されている。そして、この電極板のうち長手方向外側に位置する電極板４５が、前記第１の係止爪３７に係合して、集塵側高圧電極４１が下部枠体３３に固定される。
【００１４】
これら２つの集塵側高圧電極４１、４１の上には、アース電極４７が装着される。このアース電極４７は、左右２分割された集塵側アース電極４９，４９と左右一体になされた荷電側アース電極５１とを有している。
【００１５】
集塵側アース電極４９は、導電性の樹脂成型品からなり、多数の板状の電極板５３、…が延在する幅方向に配設されている。この集塵側アース電極４９は、幅方向に平行な側壁にそれぞれ２つずつの第２の係止爪５５、５５を有している。この第２の係止爪５５は、後述する荷電側アース電極５１を固定するためのものである。
【００１６】
左右に２つ設けられた集塵側アース電極４９、４９の上には、荷電側アース電極５１が装着されている。この荷電側アース電極５１は、左右一体に形成されている。この荷電側アース電極５１は、板金本体５６を有し、板金の切り起こしにより多数の板状の電極板５７，…が長手方向に配設されている。また、切り起こされた部分は、開口部５９，…となり空調もしくは浄化される空気を通過させるようになっている。また、この荷電側アース電極５１は、幅方向に延在する側壁中央部に係合切欠き６１を有している。一方、下部枠体３３には、この係合切欠き６１に嵌合する平面視Ｔ字状のＴ字状係合突起６３が設けられている。さらに、荷電側アース電極５１は、幅方向に延在する側壁の一端部にアース端子６５を有しており、一方、下部枠体３３には、このアース端子６５を接続するアース接点６７が設けられている。
【００１７】
このような荷電側アース電極５１は、集塵側アース電極４９の第２の係止爪５５に開口部５９の縁を係止することによって上下方向に固定される。また、荷電側アース電極５１は、その係合切欠き６１を下部枠体３３のＴ字状突起６３に係合させることによって、下部枠体３３に対する水平方向の位置決めを行うようになっている。このように、荷電側アース電極と集塵側アース電極の上下方向の固定を、第２の係止爪５５を開口部５９の縁に係止することによって行っているから、上下方向には強固な結合を実現して電気的接続を確実にすることができる。また、この第２の係止爪５５と開口部５９の縁との間の固定は、水平方向の位置関係までは拘束していない。一方、荷電側アース電極５１は、その係合切欠き６１を下部枠体３３のＴ字状突起６３に係合させるようになっている。従って、下部枠体３３に対する水平方向の位置を正確に出すことができ、取り付け精度を向上させることができる。
【００１８】
なお、固定状態で荷電側アース電極５１のアース端子６５は下部枠体３３側のアース接点６７に押圧されて電気的に接続される。
【００１９】
この荷電側アース端子５１の上には上部枠体６９が装着される。この上部枠体６９は、その裏側に枠体の長手方向に延在する荷電側高圧電極（図示せず）を有している。この荷電側高圧電極は、上部枠体６９を下部枠体３３に装着した状態において、荷電側アース電極５１の複数の電極板５７、…の間に位置するようになっており、荷電側アース電極５１とともに、荷電側電極を構成する。
【００２０】
このような空気清浄機３１は、まず下部枠体３３に集塵側高圧電極４１を固定し、荷電側アース電極５１に集塵側アース電極４９を固定し、その後アース電極４７と上部枠体６９とを下部枠体３３に固定して組み立てられる。
【００２１】
このように、この空気清浄機３１は、アース電極を荷電側アース電極と、集塵側アース電極に分割し、荷電側アース電極を板金、集塵側アース電極を導電性樹脂成型品で構成しているから、樹脂に金属メッキを施す必要がなく、コストの低減を図ることができる。また、第２の係止爪５５を荷電側アース電極５１の開口部５９の縁に係止することによって、荷電側アース電極５１と集塵側アース電極４９の上下方向の固定を行っているから、電気的接触面積が広くなり電気的接続を確実にすることができる。さらに、荷電側アース電極と集塵側アース電極とを厚み方向のみ固定し、水平方向の固定手段は枠体との間に設けたので、寸法誤差の累積を防止し各部品を精度よく組み込むことができる。また、集塵側アース電極は左右２分割とし、荷電側アース電極は左右一体で構成したので、精度が必要とされる集塵側の精度を落とすことなくコストの削減を図ることができる。
【００２２】
図３及び図４は、荷電側アース電極の他の実施の形態を示す図である。
【００２３】
図３に示す荷電側アース電極７１は、板金からなる２枚の電極を重ね合わせたたものであり、図４は、その２枚の下部電極７３と上部電極７５を別々に示した図である。下部電極７３は、上記荷電側アース電極５１と同様に、板金本体７６を有し、板金の切り起こしにより多数の板状の電極板７７，…がその長手方向に平行に配設されている。また、切り起こされた部分は、開口部７９，…となり空調もしくは浄化される空気を通過させるようになっている。この下部電極７３の電極板７７の間隔は、上記荷電側アース電極５１の電極板５７の間隔の約２倍に設定されている。これに対して、上部電極７５は、基本的に下部電極７３と対象の形状に形成されている。すなわち、板金本体８０からの切り起こしによって電極板８１と開口部８３を有している。
【００２４】
このような上部電極７５を、図３に示すように、その電極板８１が下部電極７３の電極板７７の間に位置するように、下部電極に固定して、荷電側アース電極７１を構成する。
【００２５】
このようにすることによって、上部電極又は下部電極において電極板間の距離を２倍にすることができ、従って切り起こされた電極板の立ち上がり高さを２倍にすることができる。このため、電極板の空気流方向の長さを長くすることができ、塵埃に対する荷電効率を向上させることができる。
【００２６】
【発明の効果】
本発明にあっては、板金からなる荷電側アース部品と、この荷電側アース部品と別体に形成され導電性樹脂成型品からなる集塵側アース部品とを備えているから、成形された樹脂部品に金属メッキを行なう必要がなく、コストの低減を図ることができる。
【図面の簡単な説明】
【図１】本発明の実施の形態である空気調和機に搭載される空気清浄機の組立を示す斜視図。
【図２】図１に示す空気清浄機の部品を一部組み立てた状態を示す斜視図。
【図３】本発明の他の実施の形態を示す斜視図。
【図４】図３に示す荷電側アース電極の組立前の状態を示す斜視図。
【図５】従来の空気調和機に搭載された空気清浄機の構造を示す断面図。
【図６】従来の空気清浄機の構造を示す斜視図。
【符号の説明】
４９  集塵側アース部品
５１  荷電側アース部品
５５  第２の係止爪
５６  板金本体
５７  電極板
５９  開口部
６１  係合切欠き
６３  Ｔ字状係合突起
７３  下部電極
７５  上部電極
７６  板金本体
７７  電極板
７９  開口部
８０  板金本体
８１  電極板
８３  開口部
【図１】
0004294807.tif 000002
【図２】
0004294807.tif 000003
【図３】
0004294807.tif 000004
【図４】
0004294807.tif 000005
【図５】
0004294807.tif 000006
【図６】
0004294807.tif 000007